(57)【要約】【課題】環境又は作業状況の変化に応じて最適な作業領域を確保することができる屋外補助装置及び屋外補助装置の取付方法を提供する。【解決手段】物品が管理されている建造物２０において物品を搬入出する際に補助的に作業場所を確保するために使用する屋外補助装置１０は、建造物２０の屋根の幅方向に等間隔の列をなして配置された二重構造の筒部材からなる複数のフレーム部材１２と、フレーム部材１２の内筒１３にロール状に巻かれた状態で収納されたシート１１とを備え、シート１１が物品の搬入出方向に対して建造物２０の屋根から斜め下方に引き出された状態で互いのフレーム部材１２に亘って固定されている。【選択図】図５
2008223362.tif 000002
【特許請求の範囲】
【請求項１】
物品が管理されている建造物において物品を搬入出する際に補助的に作業場所を確保するために使用する屋外補助装置であって、
前記建造物の屋根の幅方向に等間隔の列をなして配置された二重構造の筒部材からなる複数のフレーム部材と、
前記フレーム部材の内筒にロール状に巻かれた状態で収納されたシートとを備え、
前記シートが物品の搬入出方向に対して前記建造物の屋根から斜め下方に引き出された状態で互いのフレーム部材に亘って固定されていることを特徴とする屋外補助装置。
【請求項２】
前記フレーム部材の内筒の内部には、左右対称となる空間が形成されており、その空間にそれぞれロール状に巻かれたシートが収納されていることを特徴とする請求項１に記載の屋外補助装置。
【請求項３】
前記シートは左右何れかの空間から水平方向に引き出されると共に、前記建造物の開口部側の上部空間に対して部分的に取り付けられていることを特徴とする請求項１又は２に記載の屋外補助装置。
【請求項４】
前記フレーム部材は、前記建造物と一体化されている又は前記建造物の屋根に積載された状態の何れかで設けられていることを特徴とする請求項１〜３の何れかに記載の屋外補助装置。
【請求項５】
物品が管理されている建造物において物品を搬入出する際に補助的に作業場所を確保するために使用する屋外補助装置を取り付けるための取付方法であって、
前記建造物の屋根の幅方向に二重構造の筒部材からなるフレーム部材を等間隔に複数配置し、当該フレーム部材に収納されているロール状に巻かれたシートを建造物の開口部側に対して斜め下方に引き出した後、互いのフレーム部材に亘って固定するようにしたことを特徴とする屋外補助装置の取付方法。
【請求項６】
前記シートを屋根の幅方向に対して部分的に取り付けるようにしたことを特徴とする請求項５に記載の屋外補助装置の取付方法。
【発明の詳細な説明】
【技術分野】
【０００１】
本発明は、屋外補助装置及びその取付方法に関し、特に各種電気機器を格納するキュービクルに適用して有用なものである。
【背景技術】
【０００２】
従来から、例えば、スイッチギアの作業時又は点検時などにおいて、雨が降ることにより、内部に雨水が浸入してしまいスイッチギアを構成する各種機器が誤作動したり劣化したりする原因となっていた。このため、スイッチギアの作業時又は点検時などに雨が降った場合には、例えば、作業などを中断して倉庫などの別の場所から雨よけシートを持参して、スイッチギアの内部に雨水が浸入しないような位置に手作業で取り付けて固定していた。
【０００３】
上述のような形態で用いられる雨よけシートの取り付けは、作業者側にとって予定外の作業であり且つそれなりの時間も費やすことになるため、本来の作業時間を圧迫する。このような事態が、例えば、停電作業時で生じた場合には、停電時間が長引いてしまうなどの深刻な影響を与える恐れがあった。
【０００４】
さらに、雨よけシートの取り付けには、シートが大きいために複数人で行う必要があり、例えば、既設のスイッチギア上部のフックにシートの一端を止めると共に、他端を近傍のフェンスなどに取り付けて固定していた。すなわち、用途が重要なわりには、他端を取り付けるための専用の取り付け部が設けられていなかった。このため、シートの取り付け状態が不安定となり、雨の重みで垂れ下がったり、スイッチギアの扉の開閉に支障が生じたり、雨水がスイッチギア側へ流れ込んでしまうなどの問題があった。
【０００５】
一方、一般的なシートを取り付ける技術として、例えば、シートの先端に取り付けた先端棒の両端を支持しているシート張出ポールの回動によりシートが伸展する木製オーニング（特許文献１参照）、雨天時に使用した防水シートの収納時に、筺体内に収納した機器を濡らすことがない屋外用機器収容筺体（特許文献２参照）、及び降雨時に扉を開いて内部の保守、点検をするのに好適な雨除け機能付き配電盤および雨除け・日除け両機能付き配電盤（特許文献３参照）などが提案されている。しかしながら、これらの技術は何れも、シートの取り付けによって確保される作業領域を可変することができないため、あらゆる状況の変化に応じてシートの位置関係を柔軟に変化させることは困難であった。
【０００６】
【特許文献１】特開２０００−３０３６４２号公報
【特許文献２】特開２００４−１２８１５２号公報
【特許文献３】特開平０７−１１５７１３号公報
【発明の開示】
【発明が解決しようとする課題】
【０００７】
本発明はこのような事情に鑑み、環境又は作業状況の変化に応じて最適な作業領域を確保することができる屋外補助装置及び屋外補助装置の取付方法を提供することを課題とする。
【課題を解決するための手段】
【０００８】
上記課題を解決するための本発明の第１の態様は、物品が管理されている建造物において物品を搬入出する際に補助的に作業場所を確保するために使用する屋外補助装置であって、前記建造物の屋根の幅方向に等間隔の列をなして配置された二重構造の筒部材からなる複数のフレーム部材と、前記フレーム部材の内筒にロール状に巻かれた状態で収納されたシートとを備え、前記シートが物品の搬入出方向に対して前記建造物の屋根から斜め下方に引き出された状態で互いのフレーム部材に亘って固定されていることを特徴とする屋外補助装置にある。
【０００９】
かかる第１の態様では、シートが物品の搬入出方向に対して建造物の屋根から斜め下方に引き出された状態で互いのフレーム部材に亘って固定されている。これにより、シートを建造物の上位空間に対して傾斜させて取り付けるようにしたため、例えば、作業時に雨が降ってきたような場合であっても容易に雨除けのためのシートを取り付けることができ且つシートに降雨する雨水も建造物とは反対方向に流れるようにして内部に浸入しないように構成されるため、環境又は作業状況の変化に応じて最適な作業領域を確保することが可能となる。
【００１０】
本発明の第２の態様は、前記フレーム部材の内筒の内部には、左右対称となる空間が形成されており、その空間にそれぞれロール状に巻かれたシートが収納されていることを特徴とする第１の態様に記載の屋外補助装置にある。
【００１１】
かかる第２の態様では、フレーム部材の内筒の内部に形成された左右対称となる空間にそれぞれロール状に巻かれたシートが収納されている。これにより、１つの内筒に対して左右の何れかに収納されているシートを柔軟に用いることができる。
【００１２】
本発明の第３の態様は、前記シートは左右何れかの空間から水平方向に引き出されると共に、前記建造物の開口部側の上部空間に対して部分的に取り付けられていることを特徴とする第１又は２の態様に記載の屋外補助装置にある。
【００１３】
かかる第３の態様では、シートが左右何れかの空間から水平方向に引き出され、建造物の開口部側の上部空間に対して部分的に取り付けられている。これにより、作業者の作業位置に応じて、シートを建造物の上位空間に対して部分的に取り付けることができるため、天候などの環境又は作業状況の変化に応じて最適な作業領域を確保することが可能となる。
【００１４】
本発明の第４の態様は、前記フレーム部材は、前記建造物と一体化されている又は前記建造物の屋根に積載された状態の何れかで設けられていることを特徴とする第１〜３の何れかの態様に記載の屋外補助装置にある。
【００１５】
かかる第４の態様では、フレーム部材が、建造物と一体化されている又は建造物の屋根に積載された状態の何れかで設けられている。これにより、新設される建造物及び既設の建造物の双方に対して、柔軟に適用することができる。
【００１６】
本発明の第５の態様は、物品が管理されている建造物において物品を搬入出する際に補助的に作業場所を確保するために使用する屋外補助装置を取り付けるための取付方法であって、前記建造物の屋根の幅方向に二重構造の筒部材からなるフレーム部材を等間隔に複数配置し、当該フレーム部材に収納されているロール状に巻かれたシートを建造物の開口部側に対して斜め下方に引き出した後、互いのフレーム部材に亘って固定するようにしたことを特徴とする屋外補助装置の取付方法にある。
【００１７】
かかる第５の態様では、建造物の屋根の幅方向に等間隔に複数配置されたフレーム部材に収納されているロール状に巻かれたシートが建造物の開口部側に対して斜め下方に引き出された後、互いのフレーム部材に亘って固定される。これにより、シートを建造物の上位空間に対して全体的に取り付けることができるため、天候などの環境又は作業状況の変化に応じて最適な作業領域を確保することが可能となる。
【００１８】
本発明の第６の態様は、前記シートを屋根の幅方向に対して部分的に取り付けるようにしたことを特徴とする第５の態様に記載の屋外補助装置の取付方法にある。
【００１９】
かかる第６の態様では、シートが屋根の幅方向に対して部分的に取り付けられる。これにより、シートを建造物の上位空間に対して部分的に取り付けることができるため、天候などの環境又は作業状況の変化に応じて最適な作業領域を確保することが可能となる。
【発明の効果】
【００２０】
本発明によれば、シートを建造物に対して傾斜させて取り付けるようにし且つ建造物の上位空間に対して全体的又は部分的に取り付けられるようにしたため、環境又は作業状況の変化に応じて最適な作業領域を確保することができる屋外補助装置及び屋外補助装置の取付方法を提供することが可能となる。
【発明を実施するための最良の形態】
【００２１】
以下、図面を用いて本発明を実施するための最良の形態について説明する。なお、本実施形態の説明は例示であり、本発明の構成は以下の説明に限定されない。
【００２２】
（実施形態１）
図１は、本発明の実施形態１に係る屋外補助装置を適用した建造物の概略側面図である。なお、本実施形態では、建造物の例示として、内部に配電盤や開閉装置などが収容されているキュービクルを想定している。
【００２３】
図示するように、本実施形態の屋外補助装置１０は、建造物２０と一体化されて設けられている。すなわち、建造物２０の上部に屋外補助装置１０が組み込まれ、屋外補助装置１０の一部を構成する内筒が屋外に対して引出可能な状態で設置されており、このような状態の屋外補助装置１０からシート１１が横方向に引き出されるようになっている。
【００２４】
ここで、屋外補助装置１０の具体的な構成について説明する。図２は、屋外補助装置の斜視図であり、図３は、屋外補助装置の側面図及び上面図である。
【００２５】
図２に示すように、屋外補助装置１０は、二重構造の筒部材からなるフレーム部材１２と、そのフレーム部材１２の内筒１３にロール状に巻かれた状態で収納されたシート１１で構成されている。具体的に、フレーム部材１２の内筒１３の内部には、左右対称となる空間が形成されており、その空間にそれぞれロール状に巻かれたシート１１が収納されるようになっている。
【００２６】
ここで、シート１１には、両端部に円筒形状の棒部材１４が巻きつけられており、このような棒部材１４がシート１１を出し入れする際の保持部となる。また、内筒１３の内部にはバネが内蔵されており、シート１１を引き出した状態で手を離すと、内筒１３の内部方向に回転して自動的に巻き取られるような構造となっている。本実施形態では、このような構造として、例えば、巻尺のような構造を想定している。
【００２７】
また、図３（ａ）及び（ｂ）に示すように、屋外補助装置１０は、フレーム部材１２の内部に内筒１３が収納された状態では移動幅ｈを有しており、引き出された状態ではＡ点から斜め下方に傾斜する。また、図３（ｃ）に示すように、内筒１３の裏面には、水を抜くための水抜き穴１３ａが形成されている。図３（ｃ）に示す例では、格子状の四角形状からなる水抜き穴１３ａが形成されているが、特にこれに限定されず、例えば、縦方向又は横方向に溝などを設けるようにしてもよい。
【００２８】
ここで、上述のような屋外補助装置１０を用いて建造物２０にシート１１を取り付ける場合の構成について説明する。図４は、屋外補助装置を適用してシートを取り付けた際の概略図及びその要部を説明する説明図である。
【００２９】
図４（ａ）に示すように、屋外補助装置１０は、少なくとも横方向に２以上並設されることで機能する。すなわち、屋外補助装置１０同士が横方向に並設されることで、互いのフレーム部材１２に亘ってシート１１Ａが固定されるようになっている。このとき、図４（ａ）に例示するように、使用されないシート１１Ｂも存在する。すなわち、他の屋外補助装置１０から引き出されたシート１１Ａが固定される側に収納されているシート１１Ｂは、引き出されずに収納されたままの状態となる。このようにして、作業場所や作業状況に応じて、作業者が必要な位置で又は必要な位置に存在するシート１１を柔軟に引き出すことができるようになっている。
【００３０】
ここで、シート１１の固定部分について説明する。図４（ｂ）に示すように、シート１１Ａの端部には、棒部材１４Ａが巻きつけられており、シート１１Ａの引き出し方向に設けられた棒部材１４Ａ上の固定部材１５Ａが並設する内筒１３に固定できるようになっている。具体的には、固定部材１５Ａを内筒１３の手前端部に形成されたフック１３ｂに引っ掛けるようにして固定する。また、他のシート（図４では、１１Ｂ）にも同様にして、棒部材１４（１４Ｂ）及び固定部材１５（１５Ｂ）などが設けられていると共に、内筒１３にもフック１３ｂがそれぞれ設けられている。
【００３１】
さらに、内筒１３のシート１１の引き出し側の側壁は、上方側が開口され且つシート１１を出し入れする際に障害とならない程度の高さを有し、また、雨水が横方向から内筒１３内に浸入しないように雨水受けとしての機能を果たすように形成されている。
【００３２】
このような屋外補助装置１０により、例えば、作業中に急遽雨が降ってきた場合であっても、一人で雨除け用のシートを取り付けて迅速に作業領域を確保することができる。
【００３３】
上述のようにして用いられる屋外補助装置１０を具体的に建造物２０に適用した場合の構成について説明する。図５は、具体例１を示す図であり、図６は具体例２を示す図である。
【００３４】
図５に示すように、屋外補助装置１０は、建造物２０と一体的に設けられている。本実施形態では、屋外補助装置１０が建造物２０を構成する屋根の下面部に等間隔で複数個配置されて、建造物２０の開口部側に対して内筒１３が斜め下方に引き出し可能となるように設けられている。そして、シート１１が建造物２０の開口部側となる物品の搬入出方向に対して建造物２０の屋根から斜め下方に引き出された状態で互いのフレーム部材１２に亘って固定されることで、作業領域の上空に雨除け状態を構成するシート１１を取り付けることができる。このようにして、シート１１の引き出し口となる内筒１３を傾斜させ且つ建造物２０の上空全体をシート１１で覆うように構成することで、雨水が建造物２０であるキュービクルとは反対方向に流れる状態が形成されて、キュービクル本体に雨水が流入しないようにすることができる。
【００３５】
また、建造物２０の端部にそれぞれ設置されたフレーム部材１２に収納されている最端部側のシート１１は、基本的にそれぞれ地面方向に垂下させるようにする。これにより、上方向からの降雨の浸入を防ぐことができるのみならず、横方向からの降雨を凌ぐこともできるため、作業時の天候が悪化した場合であってもある程度柔軟に対応することが可能となる。
【００３６】
一方、図６に示されている屋外補助装置１０も同様に、建造物２０と一体的に設けられている。ここで、図６では、シート１１が屋根の幅方向に対して部分的に取り付けられている点が、図５に示した具体例と異なっている。すなわち、必要な部分のシート１１を建造物２０の開口部側となる物品の搬入出方向に対して斜め下方に引き出した状態で互いのフレーム部材１２に亘って固定されることで、作業領域の上空に部分的に雨除け状態が構成される。このようにして、シート１１を左右何れかの空間から水平方向に引き出すことで、必要に応じて、建造物２０の開口部側の上部空間に対して部分的に取り付けることができるようになっている。
【００３７】
また、図６に示す例では、端部に設置された２つのフレーム部材１２が使用されず、内筒１３が収納された状態となっている。このようにして、本実施形態では、シート１１が収納され且つシート１１を固定するフック１３ｂを有する内筒１３を必要に応じて引き出すことができる構成を採っているため、作業の邪魔にならず又容易に使用できるような屋外補助装置１０を提供することができる。
【００３８】
本実施形態によれば、新設される建造物２０に対して、シート１１を建造物２０の上位空間に対して全体的又は部分的の何れかで柔軟に取り付けられるようにしたため、例えば、作業中に天候が変化して雨が降ってきたような場合であっても、必要に応じて降雨範囲外となる作業領域を柔軟に設定して確保することができる。
【００３９】
（実施形態２）
図７は、本発明の実施形態２に係る屋外補助装置を適用した建造物の概略側面図及び要部断面図である。なお、本実施形態でも同様に、建造物の例示として、内部に配電盤や開閉装置などが収容されているキュービクルを想定している。
【００４０】
図７（ａ）に示すように、実施形態２は、屋外補助装置１０Ａを建造物２０Ａの屋根に直接的に積載している点が上述した実施形態１と異なっている。すなわち、屋外補助装置１０Ａを屋根の上面にそのまま配置して溶接またはボルトで締め付けて固定することで、屋外補助装置１０Ａが建造物２０Ａの屋根に積載された状態を形成している。このような構成により、既設の建造物２０Ａに対しても柔軟に屋外補助装置１０Ａが適用できるようになっている。
【００４１】
ここで、屋外補助装置１０Ａが固定されて内筒１３Ａが傾斜する支点となる固定部位について説明する。図７（ａ）に示すように、屋外補助装置１０Ａを屋根に対して水平となるように設けることで、傾斜する内筒１３Ａが支持され且つ内筒１３Ａを所定の角度で傾斜させる状態とする。すなわち、建造物２０Ａの開口部側の屋根の端部付近に支持部材１６を設けることで、フレーム部材１２の本体（外筒）を水平状態に保持しつつ、内筒１３Ａが傾斜する支点となる固定部位（図中Ｂ）から傾斜させる内筒１３Ａの傾斜角度を柔軟に設定できるようになっている。このようにして用いられる支持部材１６の高さは、必要に応じて可変させるようにしてもよい。
【００４２】
ここで、固定部位（図中Ｂ）についてさらに説明する。図７（ｂ）に示すように、固定部位（図中Ｂ）の内筒１３Ａには、その上端部の一部が上方向に対して開閉自在なシート開口扉１３ｃが形成されており、このシート開口扉１３ｃを開閉させてシート開口扉１３ｃを内筒１３Ａの上面と水平に保持した状態で、シート１１が出し入れできるようになっている。このようにして、建造物２０Ａの開口部側の一部が覆われるようにシート１１を取り付けることで、キュービクルの側面（図中Ｂ）から浸入する雨水を防ぐことができる。
【００４３】
この場合、キュービクルの屋根を流れる降雨がシート１１内の作業領域に入り込む恐れが生じる。すなわち、フレーム部材１２間及びフレーム部材１２と屋根の間を流れる雨水は、傾斜している方向に流れるとシート１１とフレーム部材１２との境界付近からシート１１の内部に流入する。この場合の対策として、例えば、図７（ａ）に示すように、屋根を流れる雨水を受けて最終的に地上に流すための溝状からなる樋部１７を傾斜の低い側のキュービクル端に設けることで対応が可能である。このような樋部１７は、筒状のものであってもよい。
【００４４】
上述のようにして用いられる屋外補助装置１０Ａを具体的に既設の建造物に適用した場合の構成について説明する。図８は、具体例１を示す図であり、図９は具体例２を示す図である。
【００４５】
図８に示すように、屋外補助装置１０Ａは、建造物２０Ａの屋根に積載されて固定されている。具体的に、本実施形態では、屋外補助装置１０Ａが建造物２０Ａを構成する屋根の上面部に等間隔で複数個配置されて、建造物２０Ａの開口部側に対して内筒１３Ａが斜め下方に引き出し可能となるように設けられている。そして、シート１１が建造物２０Ａの開口部側となる物品の搬入出方向に対して建造物２０Ａの屋根から斜め下方に引き出された状態で互いのフレーム部材１２に亘って固定されることで、作業領域の上空に雨除け状態を構成するシート１１を取り付けることができる。このようにして、シート１１の引き出し口となる内筒１３Ａを傾斜させ且つ建造物２０Ａの上空全体をシート１１で覆うように構成することで、雨水が建造物２０Ａであるキュービクルとは反対方向に流れる状態が形成されて、キュービクル本体に雨水が流入しないようにすることができる。
【００４６】
また、シート１１を取り付ける際の端部となるフレーム部材１２に収納されている最端部側のシート１１は、基本的にそれぞれ地面方向に垂下させるようにする。これにより、上方向からの降雨の浸入を防ぐことができるのみならず、横方向からの降雨を凌ぐこともできるため、作業時の天候が悪化した場合であってもある程度柔軟に対応することが可能となる。
【００４７】
一方、図９に示されている屋外補助装置１０Ａも同様に、建造物２０Ａの屋根上面に直接的に設けられている。ここで、図９では、シート１１が屋根の幅方向に対して部分的に取り付けられている点が、図８に示した具体例と異なっている。すなわち、必要な部分のシート１１を建造物２０Ａの開口部側となる物品の搬入出方向に対して斜め下方に引き出した状態で互いのフレーム部材１２に亘って固定されることで、作業領域の上空に部分的に雨除け状態が構成される。このようにして、シート１１を左右何れかの空間から水平方向に引き出すことで、必要に応じて、建造物２０Ａの開口部側の上部空間に対して部分的に取り付けることができるようになっている。
【００４８】
また、図９に示す例では、端部に設置された２つのフレーム部材１２が使用されず、内筒１３Ａが収納された状態となっている。このようにして、本実施形態においても同様に、シート１１が収納され且つシート１１を固定するフック１３ｂを有する内筒１３Ａを必要に応じて引き出すことができる構成を採っているため、作業の邪魔にならず又容易に使用できるような屋外補助装置１０Ａを提供することができる。
【００４９】
本実施形態によれば、既設の建造物２０に対して、シート１１を建造物２０の上位空間に対して全体的又は部分的の何れかで柔軟に取り付けられるようにしたため、例えば、作業中に天候が変化して雨が降ってきたような場合であっても、必要に応じて降雨範囲外となる作業領域を柔軟に設定して確保することができる。
【００５０】
（他の実施形態）
上述した実施形態１及び２では、シート１１を雨除け用として例示しているが、特にこれに限定されず、例えば、日除け用に適用してもよい。この場合も同様に、シート１１を建造物２０及び２０Ａに対して傾斜させて取り付けるようにし且つ建造物２０及び２０Ａの上位空間に対して全体的又は部分的に取り付けられるようにすることで、天候の変化に応じて柔軟にシート１１を取り付けることができる。
【００５１】
また、屋外補助装置１０及び１０Ａは、例えば、建造物２０又は２０Ａに収容されている装置を修理等する際の作業用として適用してもよい。すなわち、修理または改造するために装置を分解するような場合において、シート１１を取り付けることで必要な作業領域を確保するように活用してもよい。これにより、例えば、作業中の装置に対するゴミや埃の混入を防止することができる。このようにして、作業状況や作業内容に応じてシート１１を取り付けることで、作業に必要となる作業領域を確実に確保することができる。
【００５２】
上述した実施形態１及び２では、屋外補助装置１０及び１０Ａをキュービクル用として例示しているが、特にこれに限定されず、例えば、自動販売機などの作業用として適用してもよい。すなわち、作業中に屋根を必要とするような作業領域に設置することが可能であり、幅広い用途に適用することができる。
【図面の簡単な説明】
【００５３】
【図１】本発明の実施形態１に係る屋外補助装置を適用した建造物の概略側面図である。
【図２】本発明の実施形態１に係る屋外補助装置の斜視図である。
【図３】本発明の実施形態１に係る屋外補助装置の側面図及び上面図である。
【図４】本発明の実施形態１に係る屋外補助装置を適用してシートを取り付けた際の概略図及びその要部を説明する説明図である。
【図５】本発明の実施形態１に係る屋外補助装置を適用した場合の具体例１を示す図である。
【図６】本発明の実施形態１に係る屋外補助装置を適用した場合の具体例２を示す図である。
【図７】本発明の実施形態２に係る屋外補助装置を適用した建造物の概略側面図及び要部断面図である。
【図８】本発明の実施形態２に係る屋外補助装置を適用した場合の具体例１を示す図である。
【図９】本発明の実施形態２に係る屋外補助装置を適用した場合の具体例２を示す図である。
【符号の説明】
【００５４】
１０、１０Ａ  屋外補助装置
１１、１１Ａ、１１Ｂ  シート
１２  フレーム部材
１３、１３Ａ  内筒
１３ａ  水抜き穴
１３ｂ  フック
１３ｃ  シート開口扉
１４Ａ、１４Ｂ（１４）  棒部材
１５Ａ、１５Ｂ（１５）  固定部材
１６  支持部材
１７  樋部
２０、２０Ａ  建造物
【図１】
2008223362.tif 000003
【図２】
2008223362.tif 000004
【図３】
2008223362.tif 000005
【図４】
2008223362.tif 000006
【図５】
2008223362.tif 000007
【図６】
2008223362.tif 000008
【図７】
2008223362.tif 000009
【図８】
2008223362.tif 000010
【図９】
2008223362.tif 000011